(57)【特許請求の範囲】
【請求項１】
人体の足に装着可能な、伸縮性を有する踵足首サポーターであって、
帯状に形成され、足の内くるぶしおよび外くるぶしの上方で足首に巻き回されて前記足首に固定可能な足首ベルトと；
前記足首ベルトから下方に向けて延びて前記内くるぶし近傍を覆うことができる内側カバー面と、この内側カバー面から延びて踵骨近傍の足裏を覆うことができる踵カバー面と、この踵カバー面から伸びて前記外くるぶし近傍を覆うことができる外側カバー面とが一体に帯状に形成され、前記外側カバー面の端部が前記足首ベルトに固定されることにより伸張状態で前記足首ベルトに対して固定される踵ホールドベルトと；
帯状に形成され、前記外側カバー面から略前方に延び、前記足の前側面でショパール関節に沿い、距骨を前記足の後方に向けて押圧可能であるとともに腓骨外側面およびアキレス腱上を通じて前記外くるぶしの上方まで延びるように巻き回されることにより踵および前記足首に固定可能である距骨押圧ベルトと
を有することを特徴とする踵足首サポーター。
【請求項２】
前記踵ホールドベルトにおいて、
前記内側カバー面に、前記内くるぶしがはめ込まれた状態で露出可能な内くるぶし穴が設けられ、
前記踵カバー面に、前記踵がはめ込まれた状態で露出可能な踵穴が設けられ、
前記外側カバー面に、前記外くるぶしがはめ込まれた状態で露出可能な外くるぶし穴が設けられている
ことを特徴とする請求項１に記載の踵足首サポーター。
【請求項３】
前記踵ホールドベルトにおいて、前記内くるぶし穴、踵穴および外くるぶし穴の周囲に、緩衝材からなる皮膚保護材が配置されていることを特徴とする請求項２に記載の踵足首サポーター。
【請求項４】
前記距骨押圧ベルトの外面に、前記距骨押圧ベルトをどの程度伸張させているかを確認するための目盛りが設けられていることを特徴とする請求項１に記載の踵足首サポーター。
【請求項５】
前記距骨押圧ベルトの内面に、前記距骨を押圧する押圧パッドが、この距骨押圧ベルトの長手方向に沿って移動可能に配置されていることを特徴とする請求項１に記載の踵足首サポーター。
【請求項６】
前記足首ベルト、前記踵ホールドベルトおよび前記距骨押圧ベルトの各内面に面ファスナーのフック面部が設けられ、これらフック面部に対応するループ面部が前記踵足首サポーターの外面のいずれかの部分に設けられることを特徴とする請求項１に記載の踵足首サポーター。
【発明の詳細な説明】
【技術分野】
【０００１】
本発明は、踵骨の内転予防および内転位矯正、距骨の偏位抑制などを可能にする踵足首サポーターに関する。
【背景技術】
【０００２】
従来、足首の内反や外反による捻挫の防止、保温を目的としたサポーターが用いられている。
【０００３】
例えば特許文献１では、二重の筒状に形成されて踵周辺を覆うサポーター本体と、サポーター本体よりも伸張応力が強く、踵周辺の靱帯または腱を被覆可能な強伸張応力部と、伸張応力がサポーター本体よりも高く強伸張応力部よりも低く強伸張応力部の周方向側に設けられた中強伸張応力部とを有する足首用サポーターが提案されている。この足首用サポーターによれば、強伸張応力部が靱帯の代わりとなり、足首関節部近傍が保護および固定される。
【０００４】
特許文献２では、指伸筋や腓骨筋等を足首の中心に向けて押圧することにより、指伸筋や腓骨筋等が直ちに伸張または収縮でき、これにより足関節のストレス軽減や大きな負荷から足関節を保護することが可能な足首用サポーターが提案されている。この足首用サポーターにおける指伸筋や腓骨筋等の押圧は、足首に巻き付けるベルトと、このベルトの内面に配置されたパッドによって行われる。
【先行技術文献】
【特許文献】
【０００５】
【特許文献１】特開２０１０−１３１０６７号公報
【特許文献２】特開２０１２−２４９８６４号公報
【発明の概要】
【発明が解決しようとする課題】
【０００６】
従来、足首の内反捻挫については、急性期の症状の緩和や慢性期に不定期に訪れる痛みには、上述のような足首用サポーターによって対応してきた。しかしながら、このような内反捻挫用サポーターでは、距骨や踵骨の保護、矯正など、広範囲をサポートできない。距骨が偏位すると荷重をかけることが困難になり、歩行障害が出る場合がある。一方、踵骨が内転すると膝の関節が外転して、Ｏ脚となるおそれもある。
【０００７】
さらに、上述のような足首用サポーターによって足首を保護したり内反を抑制したりしても踵骨に痛みが発症する場合には、靴の中敷きや踵専用サポーターなどによる対症療法が行われてきた。しかしながら、対症療法では踵骨の偏位は矯正できず、治癒が遅れ、再発のおそれもある。また、踵骨に関連する難治性の疾病や傷病においては、ギプスなどの強固な固定によって安静を維持する治療が行われているが、活動が制限されてしまい生活の質が低下するという問題がある。
このため、左右に偏位した踵骨や前方に偏位した距骨をサポートできる薄手のサポーターが求められている。
【０００８】
本発明は、このような事情に鑑みてなされたもので、骨および関節を効果的に保護し、踵骨の内転予防および内転位矯正、距骨の偏位抑制が可能な踵足首サポーターを提供することを目的とする。
【課題を解決するための手段】
【０００９】
本発明は、人体の足に装着可能な、伸縮性を有する踵足首サポーターであって、帯状に形成され、足の内くるぶしおよび外くるぶしの上方で足首に巻き回されて前記足首に固定可能な足首ベルトと；前記足首ベルトから下方に向けて延びて前記内くるぶし近傍を覆うことができる内側カバー面と、この内側カバー面から延びて踵骨近傍の足裏を覆うことができる踵カバー面と、この踵カバー面から伸びて前記外くるぶし近傍を覆うことができる外側カバー面とが一体に帯状に形成され、前記外側カバー面の端部が前記足首ベルトに固定されることにより伸張状態で前記足首ベルトに対して固定される踵ホールドベルトと；帯状に形成され、前記外側カバー面から略前方に延び、前記足の前側面でショパール関節に沿い、距骨を前記足の後方に向けて押圧可能であるとともに腓骨外側面およびアキレス腱上を通じて前記外くるぶしの上方まで延びるように巻き回されることにより踵および前記足首に固定可能である距骨押圧ベルトとを有する。
【００１０】
この踵足首サポーターによれば、足首に巻き回して固定した足首ベルトに対して、両くるぶし近傍および踵近傍の足裏を覆うように延びる踵ホールドベルトを固定することにより、足首を外転位に矯正し、踵骨の内転予防および内転した踵骨の矯正を行うことができる。また、これら足首ベルトおよび踵ホールドベルトに対して、ショパール関節に沿って延び距骨を後方へ押圧する距骨押圧ベルトを固定することにより、距骨の偏位抑制および前方に偏位した距骨の矯正を行うことができる。
【００１１】
この踵足首サポーターの前記踵ホールドベルトにおいて、前記内側カバー面に、前記内くるぶしがはめ込まれた状態で露出可能な内くるぶし穴が設けられ、前記踵カバー面に、前記踵がはめ込まれた状態で露出可能な踵穴が設けられ、前記外側カバー面に、前記外くるぶしがはめ込まれた状態で露出可能な外くるぶし穴が設けられていることが好ましい。
【００１２】
この場合、両くるぶしおよび踵の各突起形状が各穴にはめ込まれた状態で踵ホールドベルトが固定されることにより、踵骨をより確実に固定できる。
【００１３】
この前記踵ホールドベルトにおいて、前記内くるぶし穴、踵穴および外くるぶし穴の周囲に、スポンジ等の緩衝材からなる皮膚保護材が配置されていることが好ましい。この場合、固定のために皮膚に強く当たる踵ホールドベルトによる皮膚の損傷を効果的に防止できる。
【００１４】
この踵足首サポーターの前記距骨押圧ベルトの外面に、前記距骨押圧ベルトをどの程度伸張させているかを確認するための目盛りが設けられていることが好ましい。この場合、距骨押圧ベルトをどの程度伸張させているかを確認することが容易であるので、柔道整復師、医師などによって指導された適切な固定状態を、踵足首サポーターの使用者自身が正確に再現でき、効果的な使用ができるとともに、誤装着による症状悪化を防止できる。
【００１５】
この踵足首サポーターの前記距骨押圧ベルトの内面に、前記距骨を押圧する押圧パッドが、この距骨押圧ベルトの長手方向に沿って移動可能に配置されていることが好ましい。この場合、距骨押圧ベルトの伸張度に応じて、押圧パッドを適切な位置に配置し、距骨を適切に押圧できる。
【００１６】
この踵足首サポーターの前記足首ベルト、前記踵ホールドベルトおよび前記距骨押圧ベルトの各内面に面ファスナーのフック面部が設けられるとともに、これらフック面部に対応するループ面部が前記踵足首サポーターの外面のいずれかの部分に設けられることが好ましい。この場合、面ファスナーによって任意の位置で各ベルトを固定できるので、足の形状や必要な固定強度に合わせて踵足首サポーターによって足首周辺の骨や関節を適切に固定できる。
【発明の効果】
【００１７】
足首周辺の骨および関節を効果的に保護し、踵骨の内転予防および内転位矯正、距骨の偏位抑制が可能となる。
【図面の簡単な説明】
【００１８】
【図１】本発明に係る踵足首サポーターの外面を示す平面図である。
【図２】図１に示す踵足首サポーターの内面を示す平面図である。
【図３】母指側から見た右足と踵足首サポーターとを示す図である。
【図４】前方から見た右足と踵足首サポーターとを示し、距骨押圧ベルトの図示を省略した図である。
【図５】前方から見た右足と踵足首サポーターとを示し、足首ベルトの図示を省略した図である。
【図６】小指側の斜め前方から見た右足と踵足首サポーターとを示す図である。
【発明を実施するための形態】
【００１９】
以下、本発明に係る踵足首サポーターの実施形態について説明する。人体の足１００に装着可能な、伸縮性を有する踵足首サポーター１０は、図に示すように、帯状に形成され、足１００の内くるぶし１０１および外くるぶし１０２の上方で足首１０３に巻き回されて足首１０３に固定可能な足首ベルト２０と；足首ベルト２０から下方に向けて延びて内くるぶし１０１近傍を覆うことができる内側カバー面３１と、この内側カバー面３１から延びて踵骨１０５近傍の足裏１０４を覆うことができる踵カバー面３２と、この踵カバー面３２から伸びて外くるぶし１０２近傍を覆うことができる外側カバー面３３とが一体に帯状に形成され、外側カバー面３３の端部が足首ベルト２０に固定されることにより伸張状態で足首ベルト２０に対して固定される踵ホールドベルト３０と；帯状に形成され、外側カバー面３３から略前方に延び、足１００の前側面でショパール関節１０５に沿い、距骨１０６を足１００の後方に向けて押圧可能であるとともに腓骨１０７外側面およびアキレス腱１０８上を通じて外くるぶし１０２の上方まで延びるように巻き回されて踵１０９および足首１０３に固定可能である距骨押圧ベルト４０とを有する。なお、図示例はいずれも右足用の踵足首サポーター１０である。
【００２０】
この踵足首サポーター１０は、全体が樹脂等の伸縮性に富んだ素材からなり、肌に触れる内面は吸水性・吸湿性に優れた不織布等の素材で覆われている。足首ベルト２０、踵ホールドベルト３０および距骨押圧ベルト４０は、各内面に面ファスナーのフック面部２１Ａ，３４Ａ，４１Ａがそれぞれ設けられ、これらフック面部２１Ａ，３４Ａ，４１Ａに対応するループ面部２１Ｂ，３４Ｂ，４１Ｂが踵足首サポーター１０の外面のいずれかの部分に設けられる。
【００２１】
図１および図２に示すように、足首ベルト２０の一端部の内面に設けられたフック面部２１Ａに対して、足首ベルト２０の他端部の外面にループ面部２１Ｂが設けられている。踵ホールドベルト３０の端部の内面に設けられたフック面部３４Ａに対して、足首ベルト２０の外面にループ面部３４Ｂが設けられている。距骨押圧ベルト４０の端部の内面に設けられたフック面部４１Ａに対して、距骨押圧ベルト４０の外面にループ面部４１Ｂが設けられている。
【００２２】
踵ホールドベルト３０において、内側カバー面３１に、内くるぶし１０１がはめ込まれた状態で露出可能な内くるぶし穴３１ａが設けられ、踵カバー面３２に、踵１０９がはめ込まれた状態で露出可能な踵穴３２ａが設けられ、外側カバー面３３に、外くるぶし１０２がはめ込まれた状態で露出可能な外くるぶし穴３３ａが設けられている。
【００２３】
さらに、踵ホールドベルト３０において、内くるぶし穴３１ａ、踵穴３２ａおよび外くるぶし穴３３ａの周囲に、スポンジ、ウレタン等の緩衝材からなる皮膚保護材５０がそれぞれ配置されている。
【００２４】
距骨押圧ベルト４０は、外面に目盛り４０ａが設けられている。また、距骨押圧ベルト４０は、内面に距骨１０６を押圧する押圧パッド４１が配置されている。この押圧パッド４１は、距骨押圧ベルト４０を幅方向にまたぐ保持ベルト４１ａを備え、距骨押圧ベルト４０の長手方向に沿って移動可能に設けられている。
【００２５】
踵ホールドベルト３０の端部には、装着する際に手指をかけることができるように指掛け穴３０ａが形成されている。また、距骨押圧ベルト４０の端部にも、装着する際に手指をかけることができるように指掛け穴４０ｂが形成されている。
【００２６】
以上のように構成された踵足首サポーター１０の装着方法を説明する。まず図３に示すように、足首ベルト２０を、内くるぶし１０１および外くるぶし１０２のすぐ上方に巻き回し、内面のフック面部２１Ａを外面のループ面部２１Ｂに貼り付け、足首に装着する。このとき、踵ホールドベルト３０の内側カバー面３１が内くるぶし１０１を覆い、足首ベルト２０から下方に延びるように、足首ベルト２０の位置を調節する。
【００２７】
次に、指掛け穴３０ａを用いて踵ホールドベルト３０を母指側から足裏１０４を通り小指側へと伸張させ、内面のフック面部３４Ａを足首ベルト２０の外面のループ面部３４Ｂに貼り付けて、踵ホールドベルト３０を足首ベルト２０に装着し固定する。
【００２８】
このとき、まず内くるぶし穴３１ａに内くるぶし１０１の突起形状をはめ込み、さらに踵ホールドベルト３０を伸張させて踵穴３２ａに踵１０９の突起形状をはめ込み、最後に外くるぶし穴３３ａに外くるぶし１０２の突起形状をはめ込む。
【００２９】
これにより、図４に示すように、内くるぶし１０１側、足裏１０４側および外くるぶし１０２側から、踵１０９を踵ホールドベルト３０によって完全に包囲した状態とする。図４は、距骨押圧ベルト４０の図示を省略している。
【００３０】
そして、固定された踵ホールドベルト３０から延びる距骨押圧ベルト４０を、指掛け穴４０ｂを用いて伸張させながら、足首１０３近傍に巻き付けて装着し、踵１０９および足首１０３に固定する。
【００３１】
このとき、押圧パッド４２を距骨１０６の前方に当てながら、距骨押圧ベルト４０をショパール関節１０５に沿うように、上内側（母指側斜め上方）に向けて伸張させ、さらに腓骨１０７の外面、アキレス腱１０８、外くるぶし１０２の上方に延ばし、先端部内面のフック面部４１Ａを外面のループ面部４１Ｂに貼り付けて固定する。このとき、距骨押圧ベルト４０の外面に設けられた目盛り４０ａによって、距骨押圧ベルト４０をどの程度伸張させて装着したかを確認することができる。
【００３２】
図５に、足首ベルト２０の図示を省略した状態を示す。このように正しい状態で装着することにより、距骨押圧ベルト４０で距骨１０６を後方に向けて押圧することができる。
【００３３】
これにより、図６に示すように踵足首サポーター１０が足１００に適切に装着され、距骨の前方偏位や踵骨の左右偏位を防止、矯正することができる。
【００３４】
以上説明したように、本発明に係る踵足首サポーターによれば、足首に容易に装着できる足首ベルトと、この足首ベルトに固定されて両くるぶしおよび踵を所定位置に保つ踵ホールドベルトと、この踵ホールドベルトから延び足首に固定されて距骨を後方に押圧する距骨押圧ベルトとを備えるので、足首周辺の骨および関節を効果的に保護し、踵骨の内転予防および内転位矯正、距骨の偏位抑制が可能である。
【００３５】
なお、本発明の実施形態は前記構成のものに限定されるものではなく、細部構成においては、本発明の趣旨を逸脱しない範囲において種々の変更を加えることが可能である。例えば、踵足首サポーターを耐水性・撥水性を有する樹脂ゴム等により形成すれば、水中でも装着でき、水泳時のバタ足などで弛緩した人体の保護も可能である。また、高齢者、青壮年、若年層など、装着者によって下肢関節の基礎的状態が異なることを考慮して、伸縮性の異なる素材を用いたり、全体の寸法を変更したりすることにより、より適切な保護・矯正が可能である。
【符号の説明】
【００３６】
１０  踵足首サポーター
２０  足首ベルト
２１Ａ  フック面部
２１Ｂ  ループ面部
３０  踵ホールドベルト
３０ａ  指掛け穴
３１  内側カバー面
３１ａ  内くるぶし穴
３２  踵カバー面
３２ａ  踵穴
３３  外側カバー面
３３ａ  外くるぶし穴
３４Ａ  フック面部
３４Ｂ  ループ面部
４０  距骨押圧ベルト
４０ａ  目盛り
４０ｂ  指掛け穴
４１Ａ  フック面部
４１Ｂ  ループ面部
４２  押圧パッド
４２ａ  保持ベルト
１００  足
１０１  内くるぶし
１０２  外くるぶし
１０３  足首
１０４  足裏
１０５  ショパール関節
１０６  距骨
１０７  腓骨
１０８  アキレス腱
１０９  踵
１１０  踵骨
【要約】
【課題】骨および関節を効果的に保護し、踵骨の内転予防および内転位矯正、距骨の偏位抑制が可能な踵足首サポーターを提供する。
【解決手段】伸縮性を有する踵足首サポーターであって、帯状に形成され、内くるぶしおよび外くるぶしの上方で足首に巻き回されて前記足首に固定可能な足首ベルトと；前記足首ベルトから下方に延びて前記内くるぶし近傍を覆うことができる内側カバー面と、この内側カバー面から延びて足裏を覆うことができる踵カバー面と、この踵カバー面から伸びて前記外くるぶし近傍を覆うことができる外側カバー面とが一体に帯状に形成され、前記外側カバー面の端部が前記足首ベルトに固定されることにより伸張状態で固定される踵ホールドベルトと；帯状に形成され、前記外側カバー面から略前方に延び、前記足の前側面でショパール関節に沿い、距骨を前記足の後方に向けて押圧可能である距骨押圧ベルトとを有する。
【選択図】図４【図１】
0005808877.tif 000002
【図２】
0005808877.tif 000003
【図３】
0005808877.tif 000004
【図４】
0005808877.tif 000005
【図５】
0005808877.tif 000006
【図６】
0005808877.tif 000007